(57)【要約】複数の通路（１２）を有する構造（１０）と親水性ウィッキング材（４）とを備えた装置（２）。通路（１２）は、構造（１０）の内部側（１４）から構造（１０）の外部側（１６）に向かい、親水性ウィッキング材（４）は、構造（１０）の少なくとも内部側（１４）に位置付けられ、使用者の皮膚に隣接して配置される接触面を形成する。【選択図】図１
2015523474.tif 000002
【特許請求の範囲】
【請求項１】
複数の通路を有する構造であって、前記複数の通路は前記構造の内部側から前記構造の外部側に向かう、前記構造と、
前記構造の少なくとも前記内部側に位置付けられ、使用者の皮膚に隣接して配置される接触面を形成する親水性ウィッキング材と、
を備えた装置。
【請求項２】
前記親水性ウィッキング材は前記複数の通路のうちの少なくともいくつかに入り込む、請求項１に記載の装置。
【請求項３】
前記親水性ウィッキング材は、前記構造内の前記複数の通路を通って前記構造の前記内部側から前記構造の前記外部側まで延在する、請求項１または２に記載の装置。
【請求項４】
前記構造の前記内部側と前記構造の前記外部側との間の前記複数の通路のうちの少なくともいくつかは、前記装置の前記接触面から前記装置の外面まで延在する、請求項１に記載の装置。
【請求項５】
前記構造の前記内部側と前記構造の前記外部側との間の前記複数の通路のうちの少なくともいくつかは、前記接触面から前記構造の少なくとも前記外部側に位置付けられた疎水性材料まで延在する、請求項１に記載の装置。
【請求項６】
前記構造の前記内部側と前記構造の前記外部側との間の前記複数の通路のうちの少なくともいくつかには、前記親水性ウィッキング材が無い、請求項１、４、または５の何れかに記載の装置。
【請求項７】
前記構造の少なくとも前記外部側に位置付けられる疎水性材料を更に備える、請求項１から６の何れかに記載の装置。
【請求項８】
前記疎水性材料は前記装置の外面を形成する、請求項７に記載の装置。
【請求項９】
使用中、前記疎水性材料は前記使用者の皮膚に接触しない、請求項７または８に記載の装置。
【請求項１０】
前記疎水性材料は更に疎油性である、請求項７、８、または９に記載の装置。
【請求項１１】
前記疎水性材料は多孔質である、請求項７から１０の何れかに記載の装置。
【請求項１２】
前記構造は複数の通路を有する内部構造であり、前記通路は、前記内部構造の内部側と前記内部構造の外部側との間にある、請求項１から１１の何れかに記載の装置。
【請求項１３】
前記構造は弾性変形可能である、請求項１から１２の何れかに記載の装置。
【請求項１４】
前記弾性変形可能な構造は、前記装置の非露出コアを形成する、請求項１３に記載の装置。
【請求項１５】
前記複数の通路は、前記構造の前記内部側から前記構造の前記外部側まで流体を移動させる経路を提供する、請求項１から１４の何れかに記載の装置。
【請求項１６】
前記構造は、材料の連続体から形成されたウェブを備え、前記連続体は、該連続体を貫通する複数の孔を有し、前記複数の孔は前記複数の通路を提供する、請求項１から１５の何れかに記載の装置。
【請求項１７】
前記複数の通路は、前記構造の前記内部側および前記外部側に直交して延在する複数の平行開口として形成される、請求項１から１６の何れかに記載の装置。
【請求項１８】
前記複数の通路は、前記構造の前記内部側および前記外部側に平行に延在する複数の平行開口として形成される、請求項１から１７の何れかに記載の装置。
【請求項１９】
前記複数の通路は、ガスの移送を拡散によって可能にするべく寸法設計される、請求項１から１８の何れかに記載の装置。
【請求項２０】
前記複数の通路は、１〜１０ｍｍ程度の直径を有するべく寸法設計される、請求項１から１９の何れかに記載の装置。
【請求項２１】
前記複数の通路は、液体の移送を毛管現象によって可能にするべく寸法設計される、請求項１から１８の何れかに記載の装置。
【請求項２２】
前記通路は、０．０１〜１００μｍ程度の直径を有するべく寸法設計される、請求項２１に記載の装置。
【請求項２３】
前記構造は、前記構造の前記内部側と前記構造の前記外部側との間に複数の回旋状通路を有する多孔質材料を備える、請求項２１または２２に記載の装置。
【請求項２４】
前記構造は単一の弾性材料片から形成される、請求項１から２３の何れかに記載の装置。
【請求項２５】
前記構造は親水性材料から形成される、請求項１から２４の何れかに記載の装置。
【請求項２６】
前記構造はポリウレタンまたはシリコーンから形成される、請求項１から２５の何れかに記載の装置。
【請求項２７】
前記ウィッキング材は前記装置の外面を形成する、請求項１から２６の何れかに記載の装置。
【請求項２８】
前記ウィッキング材は多孔質材料から形成される、請求項１から２７の何れかに記載の装置。
【請求項２９】
前記装置の前記接触面に複数のセンサ開口を更に備える、請求項１から２８の何れかに記載の装置。
【請求項３０】
前記装置の前記接触面に複数の摩擦付着パッドを更に備える、請求項１から２９の何れかに記載の装置。
【請求項３１】
前記構造の前記外部側に位置付けられる少なくとも１つの電子部品を更に備え、前記電子部品は、前記内部構造を貫通する前記複数の通路のうちの少なくとも１つと位置合わせされる、請求項１から３０の何れかに記載の装置。
【請求項３２】
前記構造は歪みに応じた可視発色を有する、請求項１から３１の何れかに記載の装置。
【請求項３３】
連続して装着される通気性ストラップとして構成される、請求項１から３２の何れかに記載の装置。
【請求項３４】
複数の通路を有する構造を設けることと、
前記構造の少なくとも内部側に親水性ウィッキング材を設けることと、
を含む方法であって、
前記通路は、前記構造の前記内部側と前記構造の外部側との間にあり、前記親水性ウィッキング材は、使用者の皮膚に隣接して配置される接触面を前記構造の前記内部側に提供する、
方法。
【請求項３５】
前記複数の通路のうちの少なくともいくつか、または全て、の内部に親水性ウィッキング材を設けることを更に含む、請求項３４に記載の方法。
【請求項３６】
前記構造の少なくとも前記外部側に疎水性材料を設けることを更に含む、請求項３４または３５に記載の方法。
【発明の詳細な説明】
【技術分野】
【０００１】
本発明の複数の実施形態は、ウェアラブル装置に関する。
【背景】
【０００２】
皮膚に隣接して定位置に長時間装着可能な装置の製造は難しい。
【０００３】
この装置は、周囲環境の自然力にさらされながらも、固定された状態で快適であり続ける必要があろう。
【摘要】
【０００４】
本発明のさまざまな、しかし必ずしも全てではない、実施形態によると、複数の通路を有する構造と、親水性のウィッキング材（wicking material）とを備えた装置が提供される。通路は、構造の内部側から構造の外部側に向かい、親水性ウィッキング材は、構造の少なくとも内部側に位置付けられ、使用者の皮膚に隣接して配置される接触面を形成する。
【０００５】
本発明のさまざまな、しかし必ずしも全てではない、実施形態によると、複数の通路を有する構造を設けることと、構造の少なくとも内部側に親水性ウィッキング材を設けることとを含む方法が提供される。通路は、構造の内部側と構造の外部側との間にあり、親水性ウィッキング材は、使用者の皮膚に隣接して配置される接触面を構造の内部側に提供する。
【図面の簡単な説明】
【０００６】
本発明の実施形態のさまざまな例の理解を深めるために、添付の図面を単なる例として参照する。
【０００７】
【図１】複数の通路を有する内部構造と、親水性ウィッキング材と、疎水性材料とを備えた装置の一例を断面図で示す。
【図２】複数の通路を有する内部構造と、親水性ウィッキング材と、疎水性材料とを備えた装置の別の例を断面図で示す。
【図３】複数の通路を有する内部構造の一例を平面図で示す。
【図４】複数の通路を有する内部構造と、親水性ウィッキング材と、疎水性材料とを備えた装置の更なる例を断面図で示す。
【図５】複数の通路を有する内部構造と、親水性ウィッキング材と、疎水性材料とを備えた装置の別の例を断面図で示す。
【図６】装置の接触面の一例を平面図で示す。
【図７】複数の通路を有する内部構造と、親水性ウィッキング材と、疎水性材料とを備えた装置の別の例を断面図で示す。
【図８】複数の通路を有する内部構造と、親水性ウィッキング材と、疎水性材料とを備え、ストラップとして形成された装置の別の例を斜視図で示す。
【図９Ａ】図１に示されている装置と同様であるが、横方向通路を有する装置の一代替例を示す。
【図９Ｂ】図１に示されている装置と同様であるが、横方向通路を有する装置の一代替例を示す。
【図１０】ストラップとして構成された装置の一例を示す。
【詳細説明】
【０００８】
各図は、複数の通路１２を有する構造１０と親水性ウィッキング材４とを備えた装置２を示す。通路１２は、構造１０の内部側１４から構造の外部側１６に向かい、親水性ウィッキング材４は構造１０の少なくとも内部側１４に位置付けられ、使用者の皮膚に隣接して配置される接触面８を形成する。
【０００９】
装置２は、皮膚に隣接した定位置に長時間快適に装着されるべく構成される。
【００１０】
この定位置は、例えば、小型の電子デバイスを不動に位置付けるために使用され得る。電子デバイスは、装置２内に組み込まれ得る。電子デバイスの一例は、センサである。
【００１１】
装置２は「通気性」を有する。使用者の皮膚が発生させた使用者の皮膚と装置２との間の界面の湿気は、その皮膚に接触している領域（接触面８）から逃げることができるので、汗ばみおよび不快感が防止される。したがって、装置２は、昼夜連続で数日間装着されたとしても、快適であり得る。
【００１２】
図１において、装置２は、複数の通路１２を有する内部構造１０と親水性ウィッキング材４とを備える。
【００１３】
内部構造１０は、内部構造１０の内部側１４と内部構造１０の外部側１６との間に複数の通路１２を備える。
【００１４】
この例において、内部構造１０は弾性である。使用者は内部構造１０をその平衡静止状態から変形させることができ、この変形力が除かれると、内部構造１０はその平衡静止状態に戻る。他の複数の例においては、内部構造１０に付加される構成要素によって弾性がもたらされ得る。
【００１５】
この図示の例において、内部構造１０は弾性的に柔軟であり、延伸可能である。これらの特性により、使用者にあまり不快感を感じさせずに、例えばリストバンドとして、装置２を所定の位置に固定可能である。屈曲度および延伸度は、内部構造１０として用いられる、所望の弾性を有する材料を選択することによって、および／または通路１２の特性を制御することによって、制御され得る。
【００１６】
一部の例において、弾性内部構造１０は親水性材料から形成され得る。
【００１７】
複数の通路１２は、内部構造１０の内部側１４から内部構造１０の外部側１６まで流体を移動させる経路を提供する。
【００１８】
これら通路１２は、装置２の質量を減らし、その延伸特性を向上させ得る。
【００１９】
一部の実施形態において、一部または全ての通路１２は、水蒸気などの気体の移送を拡散によって可能にするべく寸法設計される。すなわち、内部構造１０は、これら通路１２にわたる拡散勾配によって通気される。一部の、しかし必ずしも全てではない、例において、各通路１２は、最小直径１ｍｍを有するべく寸法設計され得る。加えてまたは代わりに、状況によっては、各通路１２は、最大直径１０ｍｍを有し得る。
【００２０】
一部の実施形態において、一部または全ての通路１２は、液体、例えば水、の移送を毛管現象によって可能にするべく寸法設計される。一部の、しかし必ずしも全てではない、例において、各通路１２は、最小直径０．０１μｍを有するべく寸法設計され得る。加えてまたは代わりに、状況によっては、各通路１２は、最大直径１００μｍを有し得る。例えば、内部構造１０は、回旋状通路を有する本質的に多孔質の材料から形成され得る。使用され得る本質的に多孔質の材料の例は、２つの非相溶性重合体ブロックを含むブロック共重合体テンプレート材料であり、一方の相が除去されると、制御された相分離が発生して多孔質マトリックスになる。
【００２１】
内部構造１０の内部側１４に位置付けられた親水性ウィッキング材４は、使用者の皮膚に隣接して配置される外側接触面８を形成する。
【００２２】
ウィッキング材４の親水性は、水の急速な浸入を可能にするので、接触面８に隣接する皮膚からの湿気の移送を可能にする。
【００２３】
ウィッキング材４は、多孔質材料から形成され得る。適した材料の例として、製織繊維または不識繊維、重合体（例えば、ポリプロピレン（ＰＰ）、ポリエステル）、コットンまたはメリノウールなどの天然繊維またはセルロース、湿気を引き込んで横方向に広げるべく引き揃えられた繊維から成る二成分構造を用いたポーラテック（ｐｏｌａｒｔｅｃ）（登録商標）などのハイテク布地が挙げられるが、これだけに限定されるものではない。連結または共連結細孔網、例えば、シリンダ状細孔のアレイ、または細孔のジャイロイド相共連結網を十分に制御された形態で生成するために、多孔質材料は相分離重合体またはブロック共重合体系から形成され得る。
【００２４】
装置２は、疎水性材料６を更に備え得る。疎水性材料６は、内部構造１０の外部側１６に位置付けられる。したがって、通路１２は疎水性材料６側への湿気の移送を可能にし得る。
【００２５】
疎水性材料６は、装置２の外側非接触面９を提供する。疎水性材料６は防水性および防汚性であってもよく、洗浄し易いものであってもよい。ただし、疎水性材料６は、装置２の内部からウィッキング材４によって供給された水蒸気５を依然として通過させることができる。疎水性材料６から周囲環境に水蒸気５が蒸発することによって、装置２の温度が下がる。
【００２６】
疎水性材料は、装置２の使用中に使用者の皮膚に接触しないように、構成され得る。さらに、親水性材料のかなりの面積を依然として皮膚に接触させたまま、疎水性材料がいくつかの区域で皮膚に接触するように構成されてもよい。例えば図２のように、層６はある程度まで領域１６の下に延在し得る。これにより、効果的な除湿を可能にしながら、汚れの侵入防止を助け得る。
【００２７】
疎水性材料６は、その疎水性を高めるために、表面エネルギーを下げるべく処理されていてもよい。
【００２８】
毛管現象をもたらすために、疎水性材料は多孔質でもよい。
【００２９】
疎水性材料は、更に疎油性でもよい。これは、更なる耐汚染性をもたらし得る。
【００３０】
疎水性材料６に適した材料として、ポリテトラフルオロエチレン（ＰＴＦＥ）または本質的に表面エネルギーが低い他のフッ素重合体の多孔質材料が挙げられ得る。さらに、下方のウィッキング材からの水蒸気の蒸発を可能にしながら、水の浸入、しみ、汚れの付着に対するこの外層の耐性を高めるように、それぞれ固有の表面エネルギーを下げるために後で疎水性材料で処理される多孔質ナイロン、ポリエステル、ポリプロピレンが挙げられ得る。
【００３１】
疎水性材料６の形成は、親水性ウィッキング材４の外面に多孔質疎水性材料を堆積することによって、例えば、プラズマ蒸着、浸漬被覆、あるいはフッ素重合体、シリコーン、フッ素シリコーン、または蝋様材料の吹き付けによって、行われ得る。このようにして、多孔質疎水層を外面に形成できる。
【００３２】
図２、図４、および図５は、図１に示されているのと同様の装置２の代替例を示しており、同様の特徴部は同様の参照符号で示されている。これらの図において、装置２は、複数の通路１２を有する内部構造１０と、親水性ウィッキング材４と、疎水性材料６とを備える。通路１２は、内部構造１０の内部側１４と内部構造の外部側１６との間にある。親水性ウィッキング材４は、内部構造１０の少なくとも内部側１４に位置付けられ、使用者の皮膚に隣接して配置される接触面８を形成する。疎水性材料６は、内部構造１０の少なくとも外部側１６に位置付けられる。
【００３３】
これらの例において、疎水性材料６は、親水性ウィッキング材４が露出される接触面８を除く装置２の全側面に巻き付いて装置２の全ての外部領域を覆う。これにより、親水性ウィッキング材４の露出は、接触面８のみに限定される。装置２が使用者の皮膚に固定的に押し当てられて使用されているとき、ウィッキング材４は周囲環境に露出されず、使用者の皮膚にのみ露出されるので、使用者の皮膚と接触面８との間の局所的な微小環境内に空気が閉じ込められる。したがって、使用者の皮膚表面の水は、親水性ウィッキング材４によって吸収され得るが、周囲環境の水は吸収され得ない。これにより、使用中の装置２の防水が可能になる。
【００３４】
この例において、弾性内部構造１０は装置２のコアを形成し、装置の何れの外面においても露出されない。ただし、他の実装において、弾性構造１０はその少なくとも一部が外部に露出され得る。弾性構造１０は、例えば、接触面８および／または外側非接触面９の一部を形成し得る。
【００３５】
図２、図４、および図５の例において、弾性内部構造１０は単一の弾性材料片から形成される。この材料は、エラストマー系でもよい。一例として、弾性内部構造１０は、ポリウレタンまたはシリコーンから形成され得る。
【００３６】
図２、図４、および図５に断面図で、および図３に上面図で、示されているように、弾性内部構造１０は材料の連続体から形成されたウェブを備え、連続体は、この連続体を貫通する複数の孔を有する。これらの孔は、複数の通路１２を提供する。
【００３７】
図２、図４、および図５の例において、これら通路１２は互いに平行であり、一定の断面積を有する。これら通路は、内部構造１０の内部側１４および外部側１６によって画成された平面間に直交して延在する。
【００３８】
図２を参照すると、親水性ウィッキング材４は、一部または全ての通路１２に入り込む。親水性ウィッキング材４は、内部構造１０の内部側１４と内部構造１０の外部側１６とに位置付けられ、内部構造内の通路１２を通って内部構造１０の内部側１４および外部側１６の間に延在する。したがって、親水性ウィッキング材４は、接触面８から内部構造１０を通って疎水性材料６に達する材料の連続体をもたらす。
【００３９】
この例においては、通路１２の断面直径が大きすぎるため、親水性ウィッキング材４が無いと、毛管現象を後押しできない。親水性ウィッキング材４は、如何なる湿気も接触面８から通路１２を介して装置２の外面９の親水性材料６まで直接移送する。外面９において湿気は蒸発する。
【００４０】
図２の例とは異なり、図４および図５では、内部構造１０の内部側１４と内部構造１０の外部側１６との間の通路１２内に親水性材料４が無い。
【００４１】
図４において、内部構造１０の内部側１４と内部構造１０の外部側１６との間の通路１２は、装置２の接触面８から装置２の上部外面９まで、親水性ウィッキング材４と、内部構造１０と、疎水性材料６とを貫通して延在する。弾性内部構造１０の開口は空いており、親水性ウィッキング材４および疎水性材料６の孔と一致する。したがって、通路１２は下側接触面８および上部外面９に開口する。
【００４２】
皮膚上の湿気は、開放通路１２内に直接蒸発し得る。
【００４３】
加えてまたは代わりに、一部または全ての通路１２を毛管現象が可能な大きさにし得る。毛管現象は、ウィッキング材４を用いて通路１２内の移送をもたらす代わりに、通路１２を通して湿気を移送する。
【００４４】
ウィッキング材４は、依然として内部構造の上方、下方、および各側面に位置付けられ得、ウィッキング材４は上部外面９への湿気の移送経路を提供し得る。
【００４５】
図５において、内部構造１０の内部側１４と内部構造１０の外部側１６との間の通路１２は、装置２の接触面８から延在するが、疎水性材料６を貫通しない。弾性内部構造１０の開口は空いており、親水性ウィッキング材４の孔に一致する。したがって、通路１２は、下側接触面８に開口するが、上部外面９では覆われる。
【００４６】
皮膚上の湿気は、開放通路１２内に直接蒸発し得る。
【００４７】
加えてまたは代わりに、一部または全ての通路１２を毛管現象が可能な大きさにし得る。毛管現象は、ウィッキング材４を用いて通路１２内の移送をもたらす代わりに、通路１２を通して湿気を移送する。
【００４８】
ウィッキング材４は、依然として内部構造の上方、下方、および各側面に位置付けられ得、ウィッキング材４は上部外面９への湿気の移送経路を提供し得る。
【００４９】
他の実施形態も可能である。これらの実施形態においては、疎水性材料６と内部支持体１０との間の通路１２の最上部に位置付けられたウィッキング材４によって通路１２が覆われるか、および／または接触面８と内部支持体１０との間の通路１２の最下部に位置付けられたウィッキング材４によって通路１２が覆われる。
【００５０】
図６は、上記のような装置２の一例の下側を示す。この例では、接触面８が示されている。
【００５１】
この例において、接触面８は、センサ（単数または複数）、例えばモーションセンサ、および／または生命徴候監視センサ、および／または生理学的センサを含む１つ以上の生体監視センサ、への開口部（単数または複数）２２を備える。
【００５２】
この例において、接触面８は、摩擦付着区域２０を複数備える。摩擦付着区域２０は突出するパッドでもよい。摩擦付着区域２０は、接触区域８の周縁側に位置付けられ、開口部２２が配置される接触区域８の中心部分の周囲に断続的外周部を形成する。
【００５３】
摩擦付着区域２０は、接触面８から突出するパッドによって設けられ得る。断続的外周部の突出パッド２０間の間隙は、空気流を可能にし得るので、湿気が皮膚から逃げることができ、当該組立体を冷やし、装着を快適にする。突出パッド２０には、良好な付着と皮膚への装置の装着の快適さとを両方もたらすシリコーン、エラストマー、または摩擦係数が高い他のいくつかの材料が使用され得る。摩擦付着区域２０は、使用中、センサ開口部２２を定位置に保持するために十分な付着をもたらす。
【００５４】
図７は、電子装置３０への開口部２２が接触面８に設けられた装置２２の一例を示す。
【００５５】
電子装置３０は、この例ではセンサである。このセンサは、適したセンサであれば如何なるものでもよい。例えば、生体監視センサ、モーションセンサ、生命徴候監視センサ、または生理学的センサでもよい。
【００５６】
この例において、電子装置３０は内部構造１０の上方、内部構造１０と疎水性材料６との間に取り付けられる。電子装置３０は、内部構造１０を貫通する通路１２の最上部に位置付けられる。この通路１２は、図５に関して説明した通路と同様である。この通路１２は、底部接触面８には開口するが、疎水性材料６によって閉じられる。
【００５７】
装置１０の全厚の変動を回避するために、電子装置３０を収容する凹部を内部構造の外部側１６に設けてもよい。
【００５８】
図９Ａ、図９Ｂ、および図１０は、図１に示されているものと同様の装置２の代替例を示しており、同様の特徴部は同様の参照符号で示されている。これらの図において、装置２は、複数の通路１２を有する構造１０と親水性ウィッキング材４とを備える。通路１２は、構造１０の内部側１４と構造１０の外部側１６との間にある。親水性ウィッキング材４は、構造１０の少なくとも内部側１４に位置付けられ、使用者の皮膚に隣接して配置される接触面８を形成する。装置２は、構造１０の少なくとも外部側１６に位置付けられる疎水性材料６を更に備え得る。
【００５９】
図９Ａおよび図９Ｂは、本装置の互いに直交する断面図を示す。図９Ａから分かるように、各通路１２は、構造１０と親水性ウィッキング材４との間の界面に形成される。図９Ｂから分かるように、各通路は、装置２の側面間に接触面８にほぼ平行に横方向に延在する。この例において、各通路１２は一定の断面積を有する。
【００６０】
この例において、疎水性材料６は装置２の全側面に巻き付き、通路１２の外側開口を覆う。
【００６１】
親水性ウィッキング材４は、各通路１２に入り込まない。
【００６２】
図８は、装置２の多くの用途のうちの１つの例を示す。この例において、装置２は通気性ストラップ４０である。
【００６３】
この例において、ストラップ４０は延伸可能な連続ループとして形成されるので、手を越えて手首にぴったり嵌るように伸縮し得る。
【００６４】
他の複数の例において、ストラップ４０は、ストラップ４０をぴったり取り付けるための調節可能な締結具を有し得る。
【００６５】
一部の実施形態において、内部構造１０は、歪みに応じた色を有するように、例えば、精密な監視を可能にするために電子装置３０を静止状態に保つ正しい張力が実現されていることを示す高分子オパール型材料を用いて、形成され得る。この実施形態において、親水性材料は、上部外面９を通して色の変化を観察できるように、半透明または透明である必要がある。あるいは、疎水性材料６は、代わりに、延伸に応じた色を有する材料から形成することも可能である。
【００６６】
ストラップ４０の延伸時に幅の縮小を阻止する複数の横断構造がストラップ４０に追加されてもよい。
【００６７】
装置２のうちの一部または全ての構成要素を銀粒子などの殺菌物質で処理してもよい。
【００６８】
ストラップ４０は、周囲環境からの水の浸入を阻止し、水、しみ、および汚れに対して良好な耐性を有する。ストラップ４０は、汚れおよび雨に暴露され得る屋内でも、蛇口またはシャワーからの加圧水に曝露され得る、または水および洗剤に浸漬され得る、屋外でも、使用され得る。
【００６９】
ストラップ４０は、ストラップ４０を装着した皮膚からの湿気の移送と、この湿気の周囲環境への蒸発とをもたらす。これにより、皮膚は乾燥してひんやりした状態に保たれる。
【００７０】
ストラップ４０は快適でありながら安全であり、生体監視の信頼性と、ストラップ４０を一日２４時間週７日間続けて装着可能な快適さとをもたらす。
【００７１】
耐水性と、通気性と、安全な取り付けとを実現可能にすることは、特に困難である。これは、複数の通路１２を有する内部構造１０と、使用者の皮膚に隣接して配置される接触面８を形成する親水性ウィッキング材４と、疎水性材料６とを組み合わせて使用することによって達成される。
【００７２】
図１０は、（図９Ａおよび図９Ｂを参照して説明したように）横方向に延在する通路１２を複数有するストラップ４０の別の例を示す。この例において、ストラップ４０は電子装置３０用であり、この電子装置３０はセンサでもよい。
【００７３】
記載の装置２は、図８に示されているようなストラップ４０として、または他の構成で、実現され得ることを理解されたい。時計、電子回路、センサなどの適用デバイスは、その用途に応じて、装置２の内部に、または装置２の上に取り付けられ得る、あるいは装置２の２つの端部の間に吊り下げられ得る。後者の場合、適用デバイスと装置２とは共にリストバンドを形成する。
【００７４】
記載の装置２は、例えば、フィットネス、ウェルネス、健康管理、生活様式、娯楽、データ収集、およびソーシャルネットワーキングなど、さまざまな分野に幅広い用途を有し得ることを理解されたい。
【００７５】
電子装置３０は図７に関してのみ説明され、センサ２２用の開口は図６および図７を参照してのみ説明されているが、これらの特徴の一方または両方は、記載の装置２の何れの例においても存在し得ることを理解されたい。
【００７６】
本発明のさまざまな、しかし必ずしも全てではない、実施形態によると、複数の通路１２を有する内部構造１０を設けることと、内部構造１０の少なくとも内部側１４に親水性ウィッキング材４を設けることと、内部構造１０の少なくとも外部側１６に疎水性材料６を設けることとを含む方法であって、通路１２は内部構造１０の内部側１４と内部構造１０の外部側１６との間にあり、親水性ウィッキング材４は、使用者の皮膚に隣接して配置される接触面８を内部構造１０の内部側１４に提供する、方法が提供されることを上記の説明から理解されたい。
【００７７】
先の各段落ではさまざまな例を参照して本発明の複数の実施形態を説明したが、特許請求の範囲に記載されている本発明の範囲から逸脱することなく上記の各例の変更が可能であることを理解されたい。
【００７８】
上記説明に記載されている特徴は、明示的に説明されている組み合わせ以外の組み合わせでも使用され得る。
【００７９】
いくつかの特徴に言及して複数の機能を説明したが、これらの機能は、記載の有無に拘らず、他の特徴によって実行可能であり得る。
【００８０】
いくつかの実施形態に言及して複数の特徴を説明したが、これらの特徴は、記載の有無に拘らず、他の実施形態にも存在し得る。
【００８１】
本願明細書においては特に重要であると考えられる本発明の特徴に注意を引き付けようと努力しているが、本出願人は、特に強調しているか否かに拘らず、図面を参照して上で説明されている、および／または図面に示されている、特許しうるあらゆる特徴または特徴の組み合わせに対する保護を請求することを理解されたい。
【図１】
2015523474.tif 000003
【図２】
2015523474.tif 000004
【図３】
2015523474.tif 000005
【図４】
2015523474.tif 000006
【図５】
2015523474.tif 000007
【図６】
2015523474.tif 000008
【図７】
2015523474.tif 000009
【図８】
2015523474.tif 000010
【図９Ａ】
2015523474.tif 000011
【図９Ｂ】
2015523474.tif 000012
【図１０】
2015523474.tif 000013
【国際調査報告】
2015523474.tif 000014
2015523474.tif 000015
2015523474.tif 000016